(57)【要約】【課題】  カレーやシチュー等好ましくない調理物によって蒸気通路口が閉塞されるのを防止する炊飯器を提供する。【解決手段】  内鍋３の上面開口部を覆う内蓋４に蒸気排出を制限する制限手段９を備え、制限手段９は内鍋３側に内蓋蒸気通路９ｃと、外蓋２側に外蓋蒸気通路９ｂと、内蓋蒸気通路９ｃに蒸気の通過を制限する鋼球９ａを設け、蒸気の排気を制限する炊飯器において、制限手段９の内蓋蒸気通路９ｃの内鍋３側に蒸気フィルター５を備え、蒸気フィルター５は、略円形の底面部と、該底面部５ｄの外周面に設けられた立ち上げ壁５ｅ及び立ち上げ壁５ｅの一部から横向きに突出した膨出部５ｆとで構成され、底面部５ｄには内鍋３と対向し、かつ、内蓋蒸気通路９ｃに連なる穴５ａ群が設けられ、立ち上げ壁５ｅの上面に内鍋３と内蓋蒸気通路９ｃとを繋ぐ開口部７が設けられ、膨出部５ｆにも内蓋蒸気通路９ｃに連なる凹部５ｃが設けられる。【選択図】図４
2009291262.tif 000002
【特許請求の範囲】
【請求項１】
本体と、該本体の上面開口部を覆う外蓋と、前記本体内に着脱自在に収納される内鍋と、該内鍋の上面開口部を覆う内蓋と、該内蓋に設けられた制限手段とを備え、該制限手段は前記内鍋側に設けられた内蓋蒸気通路と、前記外蓋側に設けられた外蓋蒸気通路と、前記内蓋蒸気通路からの蒸気の通過を制限する鋼球とで構成され、前記内鍋内の蒸気を前記内蓋蒸気通路から前記外蓋蒸気通路を通って本体外に排気する炊飯器において、前記内蓋蒸気通路の前記内鍋側に蒸気フィルターを備え、該蒸気フィルターは、略円形の底面部と、該底面部の外周面から上向きに立ち上げられた立ち上げ壁及び該立ち上げ壁の一部から横向きに突出した膨出部とで構成され、前記底面部には内鍋と対向し、かつ、内蓋蒸気通路に連なるように複数の穴群が設けられ、立ち上げ壁の上面に内鍋と内蓋蒸気通路とを繋ぐ開口部が設けられ、前記膨出部にも内蓋蒸気通路に連なるが凹部が設けられていることを特徴とする炊飯器。
【請求項２】
前記立ち上げ壁の上面に前記内鍋と前記内蓋蒸気通路とを繋ぐ開口部が得られるように複数の凸部が設けられ、前記膨出部は一個以上設けられていることを特徴とする請求項１記載の炊飯器。
【発明の詳細な説明】
【技術分野】
【０００１】
本発明は、内鍋内に圧力を加えて炊飯する圧力式の炊飯器に関するものである。
【背景技術】
【０００２】
従来から美味しいご飯を炊き上げるために、炊飯過程の途中で内鍋内に圧力を加える炊飯器が数多く提案されている。
【０００３】
このような圧力式の炊飯器では、内鍋の上面開口部を外蓋の下面に設けられた内蓋で閉塞し、内鍋内部の圧力を１気圧以上に上げて炊飯するものであるが、内鍋内の圧力を制限する制限手段の蒸気通路口が調理物によって閉塞された場合、内鍋内部の圧力の調整が不可能になり、一定以上の圧力がかかると安全弁が働き、上手に炊飯が出来なくなる場合がある。
【０００４】
そこで、特許文献１には調理物によって蒸気通路口が容易に閉塞されないように、該蒸気通路口を複数個設けた圧力式鍋が開示されている。
【０００５】
該圧力式鍋は、蒸気通路となる蒸気吹出筒に袋状のナット兼用のフィルターを被せ、該フィルターの側壁６箇所と底壁に凹溝と該凹溝に連なる蒸気通過孔（蒸気通路口）を設けたものであり、調理中に例え１，２箇所の蒸気通過孔（蒸気通路口）に調理物が詰まっても、残りの蒸気通過孔（蒸気通路口）により蒸気通路が確保されるものである。
【０００６】
【特許文献１】実開昭５８−８４２０号公報
【発明の開示】
【発明が解決しようとする課題】
【０００７】
近年家電製品を取り巻く環境は大変厳しいものがあり、例えば取り扱い説明書で禁止している調理を誤って実施しても最低限の安全を確保する必要がある。
【０００８】
その禁止している調理の中には、特に「カレー」や「シチュー」のルーなど、のり状になる料理、また、「ジャム」など泡立つ料理、さらに、練り物の「ハンペン」など加熱中に膨らむ食材がある。
【０００９】
禁止の理由は、例えば、カレーやシチューを煮込んだ時に、ルーが泡立ち、泡が割れた時にルーが四方八方に飛び散り、飛び散ったルーが蒸気通路口に付着すると、お米のような固形物と違い、簡単に複数ある蒸気通路口を塞ぐことが考えられる。
【００１０】
また、ハンペンは加熱時に上面に浮き、煮込むことで膨らみ蒸気通路口を塞ぐ可能性も考えられる。
【課題を解決するための手段】
【００１１】
本発明は、上記従来の課題を解決するためになされたものであり、請求項１では、本体と、該本体の上面開口部を覆う外蓋と、前記本体内に着脱自在に収納される内鍋と、該内鍋の上面開口部を覆う内蓋と、該内蓋に設けられた制限手段とを備え、該制限手段は前記内鍋側に設けられた内蓋蒸気通路と、前記外蓋側に設けられた外蓋蒸気通路と、前記内蓋蒸気通路からの蒸気の通過を制限する鋼球とで構成され、前記内鍋内の蒸気を前記内蓋蒸気通路から前記外蓋蒸気通路を通って本体外に排気する炊飯器において、前記内蓋蒸気通路の前記内鍋側に蒸気フィルターを備え、該蒸気フィルターは、略円形の底面部と、該底面部の外周面から上向きに立ち上げられた立ち上げ壁及び該立ち上げ壁の一部から横向きに突出した膨出部とで構成され、前記底面部には内鍋と対向し、かつ、内蓋蒸気通路に連なるように複数の穴群が設けられ、立ち上げ壁の上面に内鍋と内蓋蒸気通路とを繋ぐ開口部が設けられ、前記膨出部にも内蓋蒸気通路に連なるが凹部が設けられているものである。
【００１２】
請求項２では、前記立ち上げ壁の上面に前記内鍋と前記内蓋蒸気通路とを繋ぐ開口部が得られるように複数の凸部が設けられ、前記膨出部は一個以上設けられているものである。
【発明の効果】
【００１３】
上記本発明によれば、通常の炊飯はもちろん、例えば取り扱い説明書で禁止している調理を実施しても、内蓋蒸気通路および外蓋蒸気通路を塞ぐことの無い安全な炊飯器を提供することができる。
【発明を実施するための最良の形態】
【００１４】
以下、本発明の一実施例について図面を用いて詳細に説明する。
【００１５】
図１は、本発明に係る炊飯器の全体の縦断面図である。図２は、同炊飯器の内蓋部を左側から見た分解斜視図である。図３は、同炊飯器の蒸気フィルターを制限手段側から見た斜視図である。図４は、同炊飯器の内蓋部の中央縦断面図（図２のＡ−Ａ断面図）である。
【００１６】
図において、ジャー炊飯器の本体１は、内側に上面が開口した保護枠１１が設けられ、保護枠１１内には内鍋３が着脱自在に収納されている。
【００１７】
内鍋３は、有底筒状であり、その上端部は、本体１から着脱操作がしやすいように、略水平に折り曲げられている。
【００１８】
保護枠１１の外側底面部と外側側面部には、内鍋３の底面部を誘導加熱する底面加熱コイルと、側面部を誘導加熱する側面加熱コイルからなる加熱手段１２が設けられている。
【００１９】
本体１の上面開口部には、該上面開口部を覆う外蓋２が開閉自在に取付けられており、該外蓋２の下面には、内鍋３の上面開口部を塞ぐ内蓋４がシールパッキン４ｅを介して外蓋２の下面と近接する（接触する場合を含む）ように設けられている。なお、内蓋４は、外蓋２に一体に組み込まれていてもよく、外周面の上下に着脱部材４ａ，４ｂを設けて外蓋２の下面受け部（図示せず）に着脱自在に取付けてもよい。
【００２０】
９は、内蓋４に設けられた制限手段で、内蓋４を貫通し内鍋３側で発生した蒸気を通す内蓋蒸気通路９ｃと、本体１の蒸気排気口９ｄと繋がる外蓋蒸気通路９ｂと、内蓋蒸気通路９ｃの上面に乗せられ、該内蓋蒸気通路９ｃを塞ぐ鋼球９ａとで構成されている。
【００２１】
そして、内鍋３内部の蒸気圧が所定圧力より高まると、その蒸気圧により鋼球９ａが持ち上げられて外蓋蒸気通路９ｂから圧力が抜け、蒸気排気口９ｄを通して本体１外に排出され、その圧力が所定圧力より低くなると再び鋼球９ａが内蓋蒸気通路９ｃを塞いで蒸気圧が高まる。この繰り返しで内鍋３と内蓋４内の圧力が一定圧力に調整される。
【００２２】
５は、蒸気フィルターで、樹脂で成形され、内蓋４の内鍋３側に内蓋蒸気通路９ｃと連なるように着脱自在（詳細は省略する）に取付けられている。その詳細は、図３に示すように、略円形の底面部５ｄと、底面部５ｄの外周面から上向きに立ち上げられた立ち上げ壁５ｅ及び該立ち上げ壁５ｅの一部から横向きに突出した一個以上（図では２個）膨出部５ｆとで構成されている。
【００２３】
そして、底面部５ｄには内鍋３と対向し、かつ、内蓋蒸気通路９ｃに連なるように複数の穴５ａ群が設けられ、立ち上げ壁５ｅの上面に内鍋３と内蓋蒸気通路９ｃとを繋ぐ開口部７が得られるように複数の凸部５ｂが設けられ、膨出部５ｆにも前記凸部５ｂによる開口部７から内蓋蒸気通路９ｃに連なる凹部５ｃが設けられている。
【００２４】
外蓋２には蓋加熱手段１０が設けられており、外蓋２に近接した内蓋４を加熱するものである。
【００２５】
１３は、内鍋３の底面の温度を検知する温度センサー、１４は制御回路で、本体１内の下部空間に配置されており、温度センサー１３からの温度情報に基づいて加熱手段１２，蓋加熱手段１０の通電状態を制御する。
【００２６】
本実施例は以上の構成よりなり、次にその動作を説明する。
【００２７】
使用者が内鍋３に適量の米と水を入れ、外蓋２を閉めると、内鍋３の上部を内蓋４が塞ぎ、密閉した空間となる。
【００２８】
その後、使用者が炊飯操作をすると、炊飯が開始される。炊飯はいわゆる「始めチョロチョロ中パッパ」の言い伝えの如く、火加減が重要であり、制御部（図示なし）に収められた炊飯プログラムに従って、温度センサー１３の温度情報を基に炊飯量に応じて加熱手段１２と蓋加熱手段１０を制御して内鍋３が加熱される。
【００２９】
やがて、内鍋３内が沸騰すると、制限手段９によって調圧機能が働き、制限手段９を通った蒸気は本体１の外に噴出し蒸気量を調整することで、内鍋３の内部を一定の圧力に保つ。そして、蒸らし，保温へと進行し、炊飯は終了する。
【００３０】
一方、上記炊飯器で、カレーやシチューを調理した場合には、煮込んだ時にルーが泡立ち、泡が割れることでルーが四方八方に飛び散る。
【００３１】
このとき、調理物と対向した面に有る蒸気フィルター５の穴５ａは飛び散ったルーによって閉塞される可能性があり、また、立ち上げ壁５ｅの上面に設けられた内蓋蒸気通路９ｃに連なる開口部７も同様に閉塞される可能性がある。
【００３２】
しかし、立ち上げ壁５ｅの一部から横向きに突出した膨出部５ｆがある部分では、ルーの泡は該膨出部５ｆの下面によって受止められて開口部７まで達せず、該開口部７と内蓋蒸気通路９ｃは連なっており、内鍋３内の蒸気が一定以上になった場合には鋼球ａが持ち上げられて外蓋蒸気通路９ｂ，蒸気排出口９ｄを通して外部に輩出され、内鍋３内の蒸気を一定に保つ。
【００３３】
また、ハンペンを調理した場合でも、立ち上げ壁５ｅの一部から横向きに突出した膨出部５ｆがある部分では、膨らんだハンペンは該膨出部５ｆの下面によって受止められて開口部７まで達せず、該開口部７と内蓋蒸気通路９ｃは連なっており、内鍋３内の蒸気が一定以上になった場合には鋼球ａが持ち上げられて外蓋蒸気通路９ｂ，蒸気排出口９ｄを通して外部に輩出され、内鍋３内の蒸気を一定に保つ。
【００３４】
上記したように、本実施例によれば、炊飯器の内鍋で好ましくない調理物を加熱しても内蓋蒸気通路および外蓋蒸気通路を塞ぐことが無い安全な炊飯器を提供することができる。
【図面の簡単な説明】
【００３５】
【図１】本発明に係る炊飯器の全体の縦断面図である。
【図２】同炊飯中の内蓋部を左側から見た分解斜視図である。
【図３】同炊飯器の蒸気フィルターの制限手段側から見た斜視図である。
【図４】同内蓋部の中央縦断面図（図２のＡ−Ａ断面図）である。
【符号の説明】
【００３６】
１  本体
２  外蓋
３  内鍋
４  内蓋
５  蒸気フィルター
７  開口部
９  制限手段
【図１】
2009291262.tif 000003
【図２】
2009291262.tif 000004
【図３】
2009291262.tif 000005
【図４】
2009291262.tif 000006